(57)【要約】      （修正有）【課題】止めタブを有するシェルを備え、且つ止めタブが金属シェルから不用意に延出することを防止できるコネクタを提供する。【解決手段】コネクタ１は、絶縁ハウジング１０、複数の端子２０、及び金属シェル３０を有する。金属シェル３０は、絶縁ハウジング１０を覆い、上部３１、空間３０１、及び複数の止めタブ３１１を有する。止めタブ３１１は、上部３１から空間３０１内に突出しており、空間３０１内に挿入されるプラグコネクタを強固に押圧する。各止めタブ３１１は、２つの接続端である第１のセクション３１２及び第２のセクション３１３で上部３１に接続される。従来の自由端に代えて両端が金属シェル３０に接続されることで、止めタブ３１１が金属シェル３０から不用意に延出することがない。【選択図】図１
0003148413.tif 000002
【実用新案登録請求の範囲】
【請求項１】
絶縁ハウジングと、前記絶縁ハウジングに取り付けられる複数の端子と、前記絶縁ハウジングを覆う金属シェルとを有するコネクタであって、
前記絶縁ハウジングは、前面、後面、及び２つの対向する側面を有する基部と、前記基部の前記前面に形成されてそこから突出し、上面及び底面を有する舌部と、前記基部から前記舌部まで連続して形成され、それぞれが内面及び前記舌部の前記底面に形成される溝セクションを有する複数の取付孔と、を有し、
前記複数の端子は、前記取付孔にそれぞれ対応して該取付孔内にそれぞれ取り付けられるものであり、それぞれが、対応する前記取付孔内に取り付け固定される取付部分と、  弾性を有し、前記取付部分に形成されてそこから前方に突出し、前記舌部の前記対応する取付孔の前記溝セクション内に取り付けられる接触部分と、前記接触部分の反対側で前記取付部分に形成されてそこから垂直に突出し、前記基部の前記後面から延出するはんだ付け部分と、を有し、
前記金属シェルは、前記絶縁ハウジングを覆い、上部、底部、前部、及び２つの対向する側部を有するものであり、前記金属シェル内に形成され、前記金属シェルの前記上部、前記底部、及び前記側部によって囲まれ、前記絶縁ハウジングを収容する空間と、弾性を有し、前記金属シェルの前記上部に形成され、前記上部から前記空間まで延びる複数の止めタブと、を有し、
前記止めタブは、前記金属シェルの前記上部に接続固定される２つの接続端と、フック形で前記金属シェルの前記上部に対して傾いており、該上部に形成されてそこから前記空間の方に突出する第１のセクションと、前記金属シェルの前記上部に形成されてそこから前記空間の方に突出し、前記第１のセクションに接続される第２のセクションと、を有することを特徴とするコネクタ。
【請求項２】
請求項１に記載のコネクタにおいて、
前記端子はそれぞれ、前記取付部分に形成されて前記対応する取付孔の前記内面を突き刺して該対応する取付孔内に前記取付部分を固定保持する複数の歯を有することを特徴とするコネクタ。
【請求項３】
請求項２に記載のコネクタにおいて、
前記絶縁ハウジングは、前記基部の前記後面に形成されて前記取付孔にそれぞれ対応する複数の位置決めスロットを有し、
前記端子はそれぞれ、前記はんだ付け部分に形成されてそこから横方向に突出して前記位置決めスロットの１つと係合する位置決め部分を有することを特徴とするコネクタ。
【請求項４】
請求項３に記載のコネクタにおいて、
前記金属シェルの各止めタブの前記第１のセクションは、
前記金属シェルの前記上部に形成されて前記空間の方に延びる第１の傾斜区間と、
前記第１の傾斜区間から突出し、前記金属シェルの前記上部の方に延び、前記第２のセクションに接続される第２の傾斜区間と、を有することを特徴とするコネクタ。
【請求項５】
請求項４に記載のコネクタにおいて、
前記止めタブそれぞれの前記第１のセクションの前記第１の傾斜区間と前記第２の傾斜区間との間に鈍角の傾斜角が形成されることを特徴とするコネクタ。
【請求項６】
請求項５に記載のコネクタにおいて、
前記絶縁ハウジングは、
前記基部の前記側面にそれぞれ形成されてそこから前方に突出し、それぞれが前記舌部との間に間隔を形成する２つの対向する翼部と、
前記側面にそれぞれ隣接して前記基部に形成され、前記間隔とそれぞれ連通する２つの貫通孔と、を有し、
前記金属シェルは、Ｌ字形で該金属シェルの前記側部にそれぞれ形成されてそこから後方に突出し、前記絶縁ハウジングの前記貫通孔を通してそれぞれ取り付けられ、前記基部の前記後面に引っ掛かる２つの取付フックを有することを特徴とするコネクタ。
【請求項７】
請求項６に記載のコネクタにおいて、
前記絶縁ハウジングは、圧縮可能であり前記金属シェルの前記側部にそれぞれ形成されてそこから下方に突出する２つの取付脚部を有することを特徴とするコネクタ。
【考案の詳細な説明】
【技術分野】
【０００１】
本考案は、コネクタに関し、より詳細には、止めタブを有するシェルを備え、且つ止めタブが金属シェルから不用意に延出することを防止できるコネクタに関する。
【背景技術】
【０００２】
従来のソケットコネクタは、絶縁ハウジング、複数の端子、及び金属シェルを有する。端子は、絶縁ハウジング内に取り付けられる。金属シェルは、絶縁ハウジングを覆う。従来のソケットコネクタでは、プラグコネクタに対して強固に接続させるために、金属シェルは、プラグコネクタを強固に押圧するための止めタブを有する。このような止めタブは、金属シェルにＵ字形の切欠を打ち抜いて止めタブのＵ字形外縁を形成することによって作られる。このため、止めタブは、金属シェルに接続されている接続端と、金属シェルから分離されている自由端とを有する構造（片持ち構造）とされる。
【考案の開示】
【考案が解決しようとする課題】
【０００３】
しかしながら、コネクタの小型化設計が進んでいるため、プラグコネクタをソケットコネクタに対して繰り返し抜き挿しすると、Ｕ字形外縁を有する従来の止めタブは、自由端側が変形しやすく、金属シェルからはみ出てしまい、正しく機能しなくなる虞があるほか、隣接する電子部品を妨害するようになる虞もある。さらに、Ｕ字形外縁を有する従来の止めタブは、十分な弾性反発力を提供するには短すぎる。
これらの欠点を克服するために、本考案は、上述の問題を軽減又は解消するための止めタブを有するコネクタを提供する。
本考案の主な目的は、止めタブを有するシェルを有し、且つ止めタブが金属シェルから不用意に延出することを防止できるコネクタを提供することである。
【課題を解決するための手段】
【０００４】
本考案は、絶縁ハウジングと、前記絶縁ハウジングに取り付けられる複数の端子と、前記絶縁ハウジングを覆う金属シェルとを有するコネクタであって、
前記絶縁ハウジングは、前面、後面、及び２つの対向する側面を有する基部と、前記基部の前記前面に形成されてそこから突出し、上面及び底面を有する舌部と、前記基部から前記舌部まで連続して形成され、それぞれが内面及び前記舌部の前記底面に形成される溝セクションを有する複数の取付孔と、を有し、
前記複数の端子は、前記取付孔にそれぞれ対応して該取付孔内にそれぞれ取り付けられるものであり、それぞれが、対応する前記取付孔内に取り付け固定される取付部分と、  弾性を有し、前記取付部分に形成されてそこから前方に突出し、前記舌部の前記対応する取付孔の前記溝セクション内に取り付けられる接触部分と、前記接触部分の反対側で前記取付部分に形成されてそこから垂直に突出し、前記基部の前記後面から延出するはんだ付け部分と、を有し、
前記金属シェルは、前記絶縁ハウジングを覆い、上部、底部、前部、及び２つの対向する側部を有するものであり、前記金属シェル内に形成され、前記金属シェルの前記上部、前記底部、及び前記側部によって囲まれ、前記絶縁ハウジングを収容する空間と、弾性を有し、前記金属シェルの前記上部に形成され、前記上部から前記空間まで延びる複数の止めタブと、を有し、
前記止めタブは、前記金属シェルの前記上部に接続固定される２つの接続端と、フック形で前記金属シェルの前記上部に対して傾いており、該上部に形成されてそこから前記空間の方に突出する第１のセクションと、前記金属シェルの前記上部に形成されてそこから前記空間の方に突出し、前記第１のセクションに接続される第２のセクションと、を有することを特徴とする。
【０００５】
このような本考案において、止めタブは、２つの接続端である第１のセクション及び第２のセクションを有する。２つの接続端は、それぞれ金属シェルの上部に接続される。つまり、止めタブは、両端が金属シェルに接続される両持ち構造とされる。従って、従来の止めタブにおける自由端に代えて金属シェルに接続された接続端が用いられ、片持ち構造ではなく両持ち構造とされることで、止めタブが変形しにくいものとされ、金属シェルから不用意に延出することがない。
本考案の他の目的、利点、及び新規な特徴は、以下の詳細な説明を添付図面により明らかとなるであろう。
【考案を実施するための最良の形態】
【０００６】
以下、本考案の一実施形態を図面に基づいて説明する。
図１および図５において、本考案によるコネクタ１は、プラグコネクタと接続して用いられるソケットコネクタであり、図６に示すようにプリント回路基板（ＰＣＢ）Ｐに取り付けて使用される。
コネクタ１は、絶縁ハウジング１０、複数の端子２０、及び金属シェル３０を備える。
【０００７】
図１および図２において、絶縁ハウジング１０は、基部１１、舌部１２、及び複数の取付孔１３を有し、複数の位置決めスロット１１３、２つの対向する翼部１１４、及び２つの貫通孔１１６をさらに有し得る。
基部１１は、前面１１２、後面１１１、及び２つの対向する側面を有する。
舌部１２は、基部１１の前面１１２に形成されてそこから突出し、上面及び底面を有する。
取付孔１３は、基部１１を長手方向に貫通して舌部１２まで形成される。各取付孔１３は、それぞれ内面及び溝セクション１３１を有する。溝セクション１３１は、舌部１２の底面に形成される。
位置決めスロット１１３は、基部１１の後面１１１に形成され、取付孔１３にそれぞれ対応して配置される。
翼部１１４は、基部１１の側面にそれぞれ形成されてそこから前方に突出し、各翼部１１４と舌部１２との間には間隔１１５が形成される。
貫通孔１１６は、側面にそれぞれ隣接して基部１１に形成され、それぞれ間隔１１５へと連通されている。
【０００８】
図３において、端子２０は、取付部分２２、接触部分２１、及びはんだ付け部分２４を有し、さらに位置決め部分２３を有する。これらの端子２０は、図１に示すように、それぞれ取付孔１３に対応して配列され、それぞれ取付孔１３内に取り付けられる。
取付部分２２は、対応する取付孔１３内に取り付け固定された際の抜け止めのために、複数の歯２２２を有する。歯２２２は、取付部分２２に形成され、対応する取付孔１３の内面を突き刺して対応する取付孔１３内に取付部分２２を固定保持する。この歯２２２は本考案に必須ではなく適宜省略してもよい。
接触部分２１は、弾性を有し、取付部分２２に形成されてそこから前方に突出し、舌部１２の対応する取付孔１３の溝セクション１３１内に取り付けられる。接触部分２１は、送電あるいは信号伝達などの機能を実現するために、コネクタ１に対応するプラグコネクタの接点と接触するものである。
はんだ付け部分２４は、接触部分２１の反対側で取付部分２２に形成されてそこから垂直に突出し、基部１１の後面１１１から延出し、プリント回路基板Ｐにはんだ付けされる。
位置決め部分２３は、はんだ付け部分２４に形成されてそこから横方向に突出し、はんだ付け部分２４を基部１１の後面１１１に対して保持するべく、位置決めスロット１１３の１つと係合する。この位置決め部分２３は本考案に必須ではなく適宜省略してもよい。
【０００９】
図１，図４および図５において、金属シェル３０は、絶縁ハウジング１０を覆うものであり、上部３１、底部３２、前部３５、２つの対向する側部３３，３４を有し、内部に空間３０１が形成される。さらに、金属シェル３０は、上部３１に複数の止めタブ３１１を有し、側部３３，３４にそれぞれ取付フック３３１，３４１及び取付脚部３３２，３４２が形成されている。
空間３０１は、金属シェル３０内に形成され、上部３１、底部３２、及び側部３３，３４によって囲まれ、この空間３０１には絶縁ハウジング１０が収容される。
止めタブ３１１は、絶縁ハウジング１０の収容方向に延在しており弾性を有する。止めタブ３１１は、金属シェル３０の打ち抜きによって金属シェル３０の上部３１に形成され、２つの接続端である第１のセクション３１２及び第２のセクション３１３を有する。
第１のセクション３１２及び第２のセクション３１３の間の中間部分は、上部３１から空間３０１内へと突出されており、接続対象のプラグコネクタが空間３０１内へ挿入された際にはこのプラグコネクタを強固に押圧する。
【００１０】
止めタブ３１１の接続端は、固定端であり、金属シェル３０の上部３１に接続固定される。したがって、止めタブ３１１は、上部３１に取り付け固定され、接続端及び自由端を有する従来の止めタブと比較すると不用意に揺動、屈曲、又は変形することがない。
第１のセクション３１２は、フック形で金属シェル３０の上部３１に対して傾いており、上部３１に形成されてそこから空間３０１の方に突出し、第１の傾斜区間３１４及び第２の傾斜区間３１５を有する。第１の傾斜区間３１４は、金属シェル３０の上部３１に形成されて空間３０１の方に延びる。第１の傾斜区間３１４は、プラグコネクタが金属シェル３０の前部３５から空間３０１内に移動するときにプラグコネクタと接触してこれを滑らかに案内する。第２の傾斜区間３１５は、第１の傾斜区間３１４との間に鈍角の傾斜角を形成して第１の傾斜区間３１４から上方へ向かい、金属シェル３０の上部３１へと延びる。
第２のセクション３１３は、金属シェル３０の上部３１に形成されてそこから空間３０１の方に突出し、第１のセクション３１２の第２の傾斜区間３１５に接続される。
【００１１】
取付フック３３１，３４１は、金属シェル３０の側部３３，３４から連続してＬ字形に形成され、側部３３，３４から後方に突出し、絶縁ハウジング１０の貫通孔１１６を通してそれぞれ取り付けられ、基部１１の後面１１１に引っ掛かって絶縁ハウジング１０が金属シェル３０から抜け落ちることを防止する。
図１、図４、図５に示される取付フック３３１，３４１は半製品であり、貫通孔１１６を通る前は真っ直ぐである。
図６に示されるように、貫通孔１１６を通った後、取付フック３３１，３４１は絶縁ハウジング（１０）に引っ掛かるようにＬ字形に曲げられ、これにより絶縁ハウジング１０と金属シェル３０との結合状態が維持される。
【００１２】
取付脚部３３２，３４２は、金属シェル３０の側部３３，３４に連続的に形成された圧縮可能な棒状の部分であり、側部３３，３４から下方に突出し、プリント回路基板Ｐの取付ボア内にそれぞれ取り付けられて金属シェル３０をプリント回路基板Ｐ上で固定保持する。各取付脚部３３２，３４２は、互いの間に隙間が形成された２つの水平なタブを備えていてもよく、取付脚部３３２，３４２を取付ボアに嵌め込むことで、隙間が一時的に小さくなって取付脚部３３２，３４２を取付ボアに通しやすくなる。さらに、取付脚部３３２，３４２は、プリント回路基板Ｐにはんだ付けすることができる。
【００１３】
このような本実施形態によれば次のような効果がある。
各止めタブ３１１の２つの接続端は、何れも自由端ではなく、それぞれ金属シェル３０の上部３１に接続されているため、止めタブ３１１が金属シェル３０から不用意に延出してプリント回路基板Ｐ上の他の電子部品と接触してそれらを妨害することがない。
さらに、固定された接続端を有する止めタブ３１１は、金属シェル３０に取り付け固定されており、不用意に揺動、屈曲、又は変形することがない。接続端及び自由端を有する従来の止めタブと比較すると、本考案の止めタブ３１１は、構造的により堅固で耐久性がある。また、従来の止めタブと比較すると、止めタブ３１１は、より大きな弾撥力を提供してプラグコネクタを効率的に安定して保持する。
【００１４】
本考案の多くの特性及び利点を本考案の構造及び機能の詳細とともに上記実施形態に記載したが、本実施形態は例示に過ぎない。特に部品の形状、サイズ、及び配置に関して、添付の特許請求の範囲を表す用語の広範な一般的意味が示す限りの範囲で本考案の原理内で細部に変更を加えることができる。
【図面の簡単な説明】
【００１５】
【図１】本考案によるコネクタの一実施形態を示す分解斜視図である。
【図２】前記実施形態の絶縁ハウジングの斜視図である。
【図３】前記実施形態の端子の斜視図である。
【図４】前記実施形態の金属シェルの縦断面図である。
【図５】前記実施形態の取付フックが真っ直ぐな状態の斜視図である。
【図６】前記実施形態の取付フックが絶縁ハウジングに引っ掛かるように折り曲げた状態の斜視図である。
【符号の説明】
【００１６】
１…コネクタ
１０…絶縁ハウジング
１１…基部
１２…舌部
１３…取付孔
２０…端子
２１…接触部分
２２…取付部分
２３…位置決め部分
２４…はんだ付け部分
３０…金属シェル
３１…上部
３２…底部
３３，３４…側部
３５…前部
１１１…後面
１１２…前面
１１３…スロット
１１４…翼部
１１５…間隔
１１６…貫通孔
１３１…溝セクション
２２２…歯
３０１…空間
３１１…止めタブ
３１２…第１のセクション
３１３…第２のセクション
３１４…第１の傾斜区間
３１５…第２の傾斜区間
３３１，３４１…取付フック
３３２，３４２…取付脚部
Ｐ…プリント回路基板
【図１】
0003148413.tif 000003
【図２】
0003148413.tif 000004
【図３】
0003148413.tif 000005
【図４】
0003148413.tif 000006
【図５】
0003148413.tif 000007
【図６】
0003148413.tif 000008